(57)【要約】【課題】   コストの増大を抑制しつつ、軽量で、通風、遮光性の良好な遮光窓庇を提供する。【解決手段】  庇部材１２では、ルーバー格子材１３…が設けられる日射遮光ルーバー１４の内側に、鉛直方向に連通する通風用開口部１４ｂが形成されている。  この通風用開口部１４ｂには、格子材としてのルーバー格子材１３…が、一定間隔をおいて、２枚並設されて、一定角度で傾斜されて固定されている。  このルーバー格子材１３は、平板状を呈して、弾性変形可能な材質で構成された格子材本体１３ａを前記取付部材１４ｃ延設方向と直交するように、軒先延設方向に沿わせて延設させている。【選択図】図１
2005139676.tif 000002
【特許請求の範囲】
【請求項１】
建物の開口上部に突設形成された庇部材に、鉛直方向に連通する通風用開口部を形成す
ると共に、該通風用開口部には、日射遮光ルーバーを傾斜配置させる遮光窓庇であって、
該日射遮光ルーバーは、平板状を呈して、弾性変形可能な材質で構成された格子材を有
すると共に、該格子材の一側端縁基部を固定して、他側縁先端部を揺動自在としたことを
特徴とする遮光窓庇。
【請求項２】
建物の開口上部に突設形成された庇部材に、鉛直方向に連通する通風用開口部を形成す
ると共に、該通風用開口部には、日射遮光ルーバーを傾斜配置させる遮光窓庇であって、
該日射遮光ルーバーは、平板状を呈する格子材を軒先方向に複数本、一定の間隔をおい
て並設すると共に、該間隔を上面視で、上下方向に連通して通風可能な開放部が形成され
る大きさに設定することを特徴とする遮光窓庇。
【請求項３】
前記遮光窓庇には、前記建物の開口上部への取付部と、前記日射遮光ルーバーとの間に
、防雨軒天部が設けられていることを特徴とする請求項１又は２記載の遮光窓庇。
【発明の詳細な説明】
【技術分野】
【０００１】
この発明は、通気性に優れた遮光窓庇に関するものである。
【背景技術】
【０００２】
従来、図５に示すような固定式の日射遮蔽ルーバーが、知られている（例えば、特許文
献１等参照）。
【０００３】
まず、構成から説明すると、建物１の外壁部２に形成された窓開口３上部に、庇部材４
が突設形成されている。
【０００４】
この庇部材４には、周縁に設けられるフレーム枠体４ａに、平板状を呈して軒延設方向
に長手方向を沿わせた遮蔽プレート５…が、一定間隔をおいて、複数枚、並設されて固定
されて、日射遮蔽ルーバーが構成されている。
【０００５】
これらの遮蔽プレート５…は、各々水平方向から一定角度αが設けられて傾斜固定され
て、冬場の太陽光６が、この遮蔽プレート５，５間から取り込み可能となるように構成さ
れている。
【０００６】
また、各遮蔽プレート５，５間の間隔βを、夏場の高度が高い太陽光７では、侵入不能
となるように、一定の間隔βに設定されて、庇部材４に固定されている。
【０００７】
次に、この従来の日射遮蔽ルーバーの作用について説明する。
【０００８】
このように構成された従来の日射遮蔽ルーバーでは、前記遮蔽プレート５…を可動させ
て、取付角度を変更することなく、冬場の太陽光６を、前記各遮蔽プレート５，５間から
取り込めると共に、夏場の高度が高い太陽光７を遮光することができる。
【特許文献１】特開２００２−６１４６７号公報
【発明の開示】
【発明が解決しようとする課題】
【０００９】
しかしながら、このような従来の固定式の日射遮蔽ルーバーでは、各遮蔽プレート５，
５間の間隔βが、夏場の高度が高い太陽光７を侵入不能するように、一定の間隔βで、密
に固定されているので、上面視では、重複する部分γが形成されている。
【００１０】
このため、例えば、この庇部材４を下方から上方に向けて吹き抜ける吹き上げによる風
荷重を大きく受けてしまい、庇部材４のフレーム枠体４ａの強度及び、このフレ−ム枠体
４ａの外壁部２への取付強度を大きく設定しなければならないといった問題があった。
【００１１】
このため、コストが増大してしまう虞があるといった問題があった。
【００１２】
そこで、この発明は、コストの増大を抑制しつつ、軽量で、通風、遮光性の良好な遮光
窓庇を提供することを課題としている。
【課題を解決するための手段】
【００１３】
上記目的を達成するために、請求項１に記載された発明では、建物の開口上部に突設形
成された庇部材に、鉛直方向に連通する通風用開口部を形成すると共に、該通風用開口部
には、日射遮光ルーバーを傾斜配置させる遮光窓庇であって、該日射遮光ルーバーは、平
板状を呈して、弾性変形可能な材質で構成された格子材を有すると共に、該格子材の一側
端縁基部を固定して、他側縁先端部を揺動自在とした遮光窓庇を特徴としている。
【００１４】
また、請求項２に記載されたものは、建物の開口上部に突設形成された庇部材に、鉛直
方向に連通する通風用開口部を形成すると共に、該通風用開口部には、日射遮光ルーバー
を傾斜配置させる遮光窓庇であって、該日射遮光ルーバーは、平板状を呈する格子材を軒
先方向に複数本、一定の間隔をおいて並設すると共に、該間隔を上面視で、上下方向に連
通して通風可能な開放部が形成される大きさに設定する遮光窓庇を特徴としている。
【００１５】
更に、請求項３に記載されたものは、前記遮光窓庇には、前記建物の開口上部への取付
部と、前記日射遮光ルーバーとの間に、防雨軒天部が設けられている請求項１又は２記載
の遮光窓庇を特徴としている。
【発明の効果】
【００１６】
このように構成された請求項１記載のものは、該格子材が、建物の開口上部に突設形成
された庇部材に、鉛直方向に連通する通風用開口部を形成すると共に、該通風用開口部に
は、日射遮光ルーバーを傾斜配置させる遮光窓庇であって、該日射遮光ルーバーは、平板
状を呈して、該一側端縁基部が固定されている。
【００１７】
このため、風が無い状態では、該格子材が、太陽光を遮る遮光ルーバーとして機能する
。
【００１８】
そして、弾性変形可能な材質で構成された該格子材の他側縁先端部が、風荷重等の外部
からの荷重によって、該荷重をいなす様に変形して、該荷重を逃がす。
【００１９】
従って、前記庇部材の強度及び、前記建物への取付強度を大きく設定する必要が無くな
り、効率的に強度設定基準を落として、コストの増大を抑制できる。
【００２０】
また、請求項２記載のものは、前記開放部が、各格子材間に上面視で、上下方向に連通
して通風可能な大きさに設定されて設けられているので、更に、通風性が良好で、風荷重
等の外部からの荷重の影響を減少させることができる。
【００２１】
そして、請求項３記載のものは、前記防雨軒天部が、雨水を遮って前記建物への影響を
減少させる。
【００２２】
また、該防雨軒天部よりも軒先側に位置する前記日射遮光ルーバーが、風荷重等の外部
からの荷重を逃がす。該日射遮光ルーバーは、一定の間隔をおいて傾斜配置されているの
で、密に固定されているものに比して軽量である。
【００２３】
このため、風の吹き上げによる風荷重が、かかりやすい軒先部では、通風性が良好で、
しかも、軽量であるため、前記庇部材の強度及び、前記建物への取付強度を大きく設定す
る必要が無くなり、効率的に強度設定基準を落として、コストの増大を抑制できる。
【発明を実施するための最良の形態】
【００２４】
次に、図面に基づいて、この発明を実施するための最良の実施の形態の遮光窓庇を説明
する。
【００２５】
なお、前記従来例と同一乃至均等な部分については同一符号を付して説明する。
【００２６】
図１乃至図４は、この発明の実施の形態の遮光窓庇を説明するものである。
【００２７】
まず、構成を説明すると、この発明の実施の形態では、建物１のバルコニー１０に面す
る外壁部２に、開口としての掃き出し窓開口１１が設けられている。
【００２８】
この掃き出し窓開口１１の上部周縁部１１ａに位置する外壁部２の外側面からは、庇部
材１２が突設形成されている。
【００２９】
この実施の形態の庇部材１２は、主に、ルーバー格子材１３…が設けられる日射遮光ル
ーバー１４及び、前記開口上部としての上部周縁部１１ａに取り付けられる取付部１５ａ
と、この日射遮光ルーバー１４との間に設けられる防雨軒天部１５によって構成されてい
る。
【００３０】
このうち、前記日射遮光ルーバー１４は、前記防雨軒天部１５の軒先側側縁１５ｂに固
着される上面視略コ字状のフレーム枠体１４ａの内側に、鉛直方向に連通する通風用開口
部１４ｂが形成されている。
【００３１】
この通風用開口部１４ｂには、軒先方向に沿って延設される長板状の取付部材１４ｃ，
１４ｃを介して、格子材としてのルーバー格子材１３…が、一定間隔をおいて、複数枚、
この実施の形態では、２枚並設されて、一定角度で傾斜されて固定されている。
【００３２】
このルーバー格子材１３は、平板状を呈して、弾性変形可能な材質で構成された格子材
本体１３ａを前記取付部材１４ｃ延設方向と直交するように、軒先延設方向に沿わせて延
設されていると共に、前記取付部材１４ｃの上面部に、リベット部材１６，１６によって
、固定される断面略三角形形状の一側端縁基部１３ｂが設けられている。
【００３３】
そして、この格子材本体１３ａは、図３に示すように、一定の風速を有する風ｗの吹き
上げによって、上方へ向けてこの風ｗをいなすように、弾性変形して湾曲する硬度を有す
ると共に、図４に示すように、一定量の積雪１７によって、下方に向けて弾性変形して湾
曲することにより、これらの積雪１７を下方に向けて落下させる硬度を有する（合成樹脂
若しくはアルミニウム材）素材によって構成されていて、この格子材本体１３ａの他側縁
先端部１３ｃが、この格子材本体１３ａの弾性変形によって、上下方向に揺動自在となる
ように構成されている。
【００３４】
また、この実施の形態では、前記外側に位置するフレーム枠体１４ａと、前記ルーバー
格子材１３との間隙に、上面視で、上下方向に連通して通風可能な開放部の１つとしての
第１開放部１８が、一定の間隔ａを有して形成されている。
【００３５】
更に、２本のルーバー格子材１３，１３の間隙には、上下方向に連通して通風可能な開
放部の１つとしての第２開放部１９が、一定の間隔ｂを有して形成されている。
【００３６】
そして、前記防雨軒天部１５の軒先側側縁１５ｂと、このルーバー格子材１３との間隙
には、上下方向に連通して通風可能な開放部の１つとしての第３開放部２０が、一定の間
隔ｃを有して形成されている。
【００３７】
また、前記防雨軒天部１５には、前記軒先側側縁１５ｂが設けられたフレーム枠体１５
ｃが設けられている。
【００３８】
このフレーム枠体１５ｃの上面側には、パネル状のアルミ天井板２１が、上面を覆うよ
うに載置されて、固定ビス部材２２…によって固着されている。
【００３９】
また、このフレーム枠体１５ｃの下面側には、パネル状の塩ビ軒天板２３が、下面を覆
うように、固定ビス部材２２…等によって固着されている。
【００４０】
そして、前記アルミ天井板２１及び塩ビ軒天板２３の建物側対向端縁と、前記外壁部２
外側面との間には、コーキング材２４，２５が各々充填されて防水施工が行われている。
【００４１】
更に、この実施の形態の前記取付部１５ａには、金属製の厚板状を呈する取付基板２６
が設けられている。
【００４２】
この取付基板２６には、前記上部周縁部１１ａを構成する外壁部２に形成された上，下
一対のボルト孔２ａ，２ａに挿通される上，下一対のボルト部材２７，２７が、建物外側
から挿入されて、前記建物１の骨格部材であるフレーム鋼材１ａの内側に位置するナット
部材２８，２８に螺合されることにより、介在される外壁部２の上部周縁部１１ａと共に
、共締めされるように構成されている。
【００４３】
次に、この実施の形態の作用について説明する。
【００４４】
この実施の形態では、前記日射遮光ルーバー１４のルーバー格子材１３，１３が、平板
状を呈して、この一側端縁基部１３ｂ，１３ｂが、各々取付部材１４ｃ，１４ｃに、前記
リベット部材１６，１６によって固定されて、前記フレーム枠体１４ａに装着されている
。
【００４５】
このため、風が無い状態では、図２に示すように、前記ルーバー格子材１３の格子材本
体１３ａは、変形しない。
【００４６】
従って、ルーバー格子材１３の格子材本体１３ａは、傾斜して固定されている状態と略
同じ状態となり、これらのルーバー格子材１３が、太陽光を遮る遮光ルーバーとして機能
する。
【００４７】
そして、弾性変形可能な材質で構成されたこのルーバー格子材１３の他側縁先端部１３
ｃが、風荷重等の外部からの荷重によって、この荷重をいなす様に、前記格子材本体１３
ａが、変形して、この荷重を逃がす。
【００４８】
すなわち、図３に示すように、下方から上方に向けて吹き抜ける風ｗの吹き上げによる
風荷重が、前記ルーバー格子材１３の格子材本体１３ａに当接すると、前記格子材本体１
３ａが、上方へ向けて湾曲するように変形して、他側縁先端部１３ｃを二点鎖線で示すよ
うに、上方向へ向けて移動させて、この荷重を逃がす。
【００４９】
このため、前記一側端縁基部１３ｂ及び取付部材１４を介して、前記庇部材１２の取付
部１５ｃに、加わる荷重は少ない。
【００５０】
従って、前記庇部材１２の強度及び、前記建物１への取付強度を大きく設定する必要が
無くなり、効率的に強度設定基準を落として、コストの増大を抑制できる。
【００５１】
また、前記第１〜３開放部１８〜２０が、各ルーバー格子材１３，１３間等に上面視で
、上下方向に連通して通風可能な大きさａ〜ｃを有するように設定されて設けられている
ので、従来のように重複する部分が存在するものに比して、更に、通風性が良好で、風荷
重等の外部からの荷重の影響を減少させることができる。
【００５２】
そして、前記防雨軒天部１５が、上方から降雨する雨水等を遮って、前記建物１への影
響を減少させる。
【００５３】
また、防雨軒天部１５よりも軒先側に位置する前記日射遮光ルーバー１４が、風荷重等
の外部からの荷重を逃がしている。この日射遮光ルーバー１４の各ルーバー格子材１３，
１３は、一定の間隔ａ等をおいて傾斜配置されているので、密に固定されているものに比
して軽量である。
【００５４】
このため、風の吹き上げによる風荷重が、かかりやすい軒先部先端近傍には、この日射
遮光ルーバー１４を位置させることにより、更に、通風性が良好で、しかも、軽量である
ため、前記庇部材１２の強度及び、前記建物１への取付強度を大きく設定する必要が無く
なり、例えば、この実施の形態では、上下一対のボルト部材２７，２７及びナット部材２
８，２８で十分な取付強度を確保出来、効率的に強度設定基準を落として、コストの増大
を抑制できる。
【００５５】
更に、この実施の形態では、図４に示すように、降雪によって、前記庇部材１２の上に
一定量の積雪１７が生じると、前記ルーバー格子材１３の格子材本体１３ａが、二点鎖線
で示すように、下方に向けて弾性変形して湾曲することにより、これらの積雪１７を下方
に向けて落下させる。
【００５６】
このため、前記庇部材１２の上に一定量以上の積雪１７が残る虞が無いので、前記庇部
材１２を軽量に構成して、前記庇部材１２の強度及び、前記建物１への取付強度の設計上
の許容値を減少させることができる。
【００５７】
前記図３に示す上方への前記格子材本体１３ａの変形は、吹き上げる風が無くなると、
図１に示すような一定角度で傾斜配置された元の状態に戻る。
【００５８】
また、図４に示す下方に向けての弾性変形も、積雪１７の落下によって、荷重が無くな
るので、図１に示すような一定角度で傾斜配置された元の状態に戻る。
【００５９】
このため、無風時、及び積雪が無い状態では、再び、ルーバー格子材１３の格子材本体
１３ａは、傾斜して固定されている状態と略同じ状態となり、これらのルーバー格子材１
３が、太陽光を遮る遮光ルーバーとして機能する。
【００６０】
従って、機械的な可動部分が無く、故障等の発生が殆ど無いので、メンテナンス性も良
好である。このため、この点においてもコストの増大を抑制出来る。
【００６１】
以上、図面を参照して、本発明の実施の形態を詳述してきたが、具体的な構成は、この
実施の形態に限らず、本発明の要旨を逸脱しない程度の設計的変更は、本発明に含まれる
。
【００６２】
例えば、前記実施の形態では、建物１のバルコニー１０に用いられる開口部としての掃
き出し窓開口１１の庇部材１２を例示して説明してきたが、庇部材が装着される場所は、
掃き出し窓に限らず、腰高窓や、玄関ポーチ、勝手口、縁側等であっても、建物１の開口
上部に突設形成されるものであるならばよい。
【００６３】
また、前記実施の形態のように、前記取付部１５ａと、日射遮光ルーバー１４との間に
防雨軒天部１５が設けられるものに限定されるものではなく、この防雨軒天部１５を設け
ることなく、直接、日射遮光ルーバー１４の建物側端縁を取付部として、建物１の開口上
部に取付固定されるものであってもよく、該日射遮光ルーバー１４の形状も、上面視略コ
字状のフレーム枠体１４ａによって構成される矩形に限定されることなく、円形、楕円形
、三角形等、多角形形状及びこれらの組み合わせ等、どのような形状，数量，材質であっ
てもよい。
【図面の簡単な説明】
【００６４】
【図１】この発明の実施の形態の遮光窓庇で、建物に装着された一例を示す斜視図である。
【図２】実施の形態に係る遮光窓庇で、図１中Ａ−Ａ線に示す位置での断面図である。
【図３】実施の形態に係る遮光窓庇で、吹き上げによって、ルーバー格子材が湾曲変形する様子を説明する図１中Ａ−Ａ線に示す位置に相当する位置での模式的な断面図である。
【図４】実施の形態に係る遮光窓庇で、積雪によって、ルーバー格子材が湾曲変形する様子を説明する図１中Ａ−Ａ線に示す位置に相当する位置での模式的な断面図である。
【図５】従来例の固定式の日射遮蔽ルーバーで要部の構成を説明する縦断面図である。
【符号の説明】
【００６５】
１          建物
２          外壁部
１１        掃き出し窓開口（開口）
１１ａ      上部周縁部
１２        庇部材
１３        ルーバー格子材（格子材）
１３ａ      格子材本体
１３ｂ      一側端縁基部
１３ｃ      他側縁先端
１４        日射遮光ルーバー
１４ｂ      通風用開口部
１５        防雨軒天部
開放部
１８        第１開放部
１９        第２開放部
２０        第３開放部
【図１】
2005139676.tif 000003
【図２】
2005139676.tif 000004
【図３】
2005139676.tif 000005
【図４】
2005139676.tif 000006
【図５】
2005139676.tif 000007